(57)【要約】【課題】  ランバーサポートにおける背支持部の上下方向の位置調節を行っても、背枠への負荷が変化することなく、前記位置調節を小さな力で容易に行うことができるようにする。【解決手段】  背枠の前面側に表皮材１３を張設した椅子の背凭れ装置において、ランバーサポートＲを、背枠に取付けた硬質の取付部材１５と、この取付部材１５に上下方向に移動可能に取付けたサポート杆１６と、このサポート杆１６の前方および上下方向を覆うように、上下端部を前記取付部材１５に固着した軟質のカバー部材１７とにより構成し、かつランバーサポートＲを前記表皮材１３の後側に位置するように設ける。【選択図】    図６
2006110015.tif 000002
【特許請求の範囲】
【請求項１】
背枠の前面側に表皮材を張設した椅子の背凭れ装置において、ランバーサポートを、背枠に取付けた硬質の取付部材と、この取付部材に上下方向に移動可能に取付けたサポート杆と、このサポート杆の前方および上下方向を覆うように、上下端部を前記取付部材に固着した軟質のカバー部材とにより構成し、かつランバーサポートを前記表皮材の後側に位置するように設けたことを特徴とする椅子の背凭れ装置。
【請求項２】
ランバーサポートにおける取付部材またはサポート杆のいずれか一方に、上下方向のレールを、同じく他方に、前記レールをガイドするガイド部を設けて、サポート杆を取付部材に対して上下方向に移動可能とし、かつサポート杆を上下方向の複数の位置で固定しうるようにしたことを特徴とする請求項１記載の椅子の背凭れ装置。
【請求項３】
ランバーサポートにおける取付部材またはサポート杆のいずれか一方に、上下に連続する凹凸部を、同じく他方に、この凹凸部に係止する弾性係止片を設け、前記凹凸部と弾性係止片との係止により、サポート杆を上下方向の複数の位置で固定しうるようにしたことを特徴とする請求項２記載の椅子の背凭れ装置。
【請求項４】
サポート杆を、横長の杆状本体部の前面に、複数のリブを左右方向に列設したものとしたことを特徴とする請求項１〜３のいずれかに記載の椅子の背凭れ装置。
【請求項５】
サポート杆の左右両端に、サポート杆を取付部材に対して上下方向に移動させるための取っ手を設けたことを特徴とする請求項１〜４のいずれかに記載の椅子の背凭れ装置。
【発明の詳細な説明】
【技術分野】
【０００１】
本発明は、ランバーサポートを取り付けた椅子の背凭れ装置に関する。
【背景技術】
【０００２】
従来、椅子の背凭れにランバーサポートを取付けたものとしては、たとえば特許文献１のほか、本願出願人に係る特許文献２に記載されたものが公知である。
【０００３】
【特許文献１】特表平８−５０７９３５号公報
【特許文献２】特開２００４−４９６５６号公報
【発明の開示】
【発明が解決しようとする課題】
【０００４】
しかし、前記特許文献１および２に記載の背凭れ装置においては、背凭れの表皮材の後側に、比較的高寸の剛性のあるランバーサポートを配置して、ランバーサポートを、支持部のレールに沿って上下に移動させる構造である。したがって、ランバーサポートの上下の位置により、ランバーサポート支持部を介して背枠にかかる負荷が大きく変動するため、背枠を最大負荷に耐え得るように強固に製作する必要があり、背枠の構造が複雑となり、コスト高になるという問題があった。さらに、剛性の高い比較的大きい寸法のランバーサポートを上下動させる構造であるため、老人や病人に操作が手軽に行い難い場合もあった。
【０００５】
本発明は、上記問題点に鑑みてなされたもので、ランバーサポートにおける背支持部の上下方向の位置調節を行っても、背枠等への負荷が実質的に変化することなく、かつ前記背支持部の上下動を小さな力で行うことができ、老人や病人等にも容易に操作することができるようにした、椅子における背凭れ装置を提供することを目的とする。
【課題を解決するための手段】
【０００６】
上記課題は、特許請求の範囲における各請求項に示すように、下記の構成を備える発明によって解決される。
(１)背枠の前面側に表皮材を張設した椅子の背凭れ装置において、ランバーサポートを、背枠に取付けた硬質の取付部材と、この取付部材に上下方向に移動可能に取付けたサポート杆と、このサポート杆の前方および上下方向を覆うように、上下端部を前記取付部材に固着した軟質のカバー部材とにより構成し、かつランバーサポートを前記表皮材の後側に位置するように設ける。
【０００７】
(２)上記(１)項において、ランバーサポートにおける取付部材またはサポート杆のいずれか一方に、上下方向のレールを、同じく他方に、前記レールをガイドするガイド部を設けて、サポート杆を取付部材に対して上下方向に移動可能とし、かつサポート杆を上下方向の複数の位置で固定しうるようにする。
【０００８】
(３)上記(２)項において、ランバーサポートにおける取付部材またはサポート杆のいずれか一方に、上下に連続する凹凸部を、同じく他方に、この凹凸部に係止する弾性係止片を設け、前記凹凸部と弾性係止片との係止により、サポート杆を上下方向の複数の位置で固定しうるようにする。
【０００９】
(４)上記(１)〜(３)項のいずれかにおいて、サポート杆を、横長の杆状本体部の前面に、複数のリブを左右方向に列設したものとする。
【００１０】
(５)上記(１)〜(４)項のいずれかにおいて、サポート杆の左右両端に、サポート杆を取付部材に対して上下方向に移動させるための取っ手を設ける。
【発明の効果】
【００１１】
本発明によると、次のような効果が奏せられる。
請求項１記載の発明によれば、人体の荷重は、カバー部材とサポート杆の両者を介して、それぞれ個別に取付部材に加わるため、荷重が分散され、過大な荷重が背枠の特定部分に集中的にかかることが防止される。したがって、背枠を部分的に強固に製作する必要がなく、コスト的にも有利である。
さらに、カバー部材は固定されており、サポート杆を上下動させるだけでよいため、老人や病人であっても、小さい力で容易に操作することができる。
【００１２】
請求項２記載の発明によれば、サポート杆を着座者の所望の高さ位置に段階的に保持することができる。
【００１３】
請求項３記載の発明によれば、上下に連続する凹凸部と、弾性係止片との係止により、サポート杆の高さ位置をほぼ連続的に調整することができる。
【００１４】
請求項４記載の発明によれば、杆状の本体部の前面に複数のリブを左右方向に列設してサポート杆が構成されているため、リブが撓むことにより、ソフト感のあるサポートが得られるとともに、小型、軽量で低コストのサポート杆とすることができる。
【００１５】
請求項５記載の発明によれば、背凭れの背後で簡単にサポート杆の高さ調整の操作を行うことができる。
【発明を実施するための最良の形態】
【００１６】
以下、本発明の実施形態を、添付図面を参照して説明する。
図１は、本発明の背凭れ装置を備えた椅子の正面図、図２は、その側面図である。椅子は、先端部にキャスタ(１)が設けられた放射状をなす５本の脚杆(２)を有する脚体(３)を備え、脚体(３)の中央には、ガススプリング（図示せず）を備える伸縮性の脚柱(４)が立設されており、脚柱(４)の上端には、支基(５)の後部が固着されている。支基(５)の前部両側面には、左右に延出する腕部(5a)が一体的に形成されている。
【００１７】
支基(５)の前後方向のほぼ中央には、左右方向を向く六角軸よりなる枢軸(６)が貫通しており、枢軸(６)の両端には、背凭れ(７)を支持する左右１対の背凭れ支持杆(８)(８)における前方を向く下部の前端部に形成された左右方向を向く筒部(8a)(8a)が固嵌され、枢軸(６)と背凭れ支持杆(８)(８)と背凭れ(７)とは、枢軸(６)を中心として、互いに一体となって支基(５)に対して回動し得るようになっている。
【００１８】
左右の背凭れ支持杆(８)(８)における枢軸(６)より若干後方の部分には、短寸の起立腕(8b)(8b)が上向きに突設されており、各起立腕(8b)(8b)の上端部には、座(９)の両側を支持する前後方向を向く１対の座受けフレーム(10)(10)の後端部が、左右方向を向く軸(11)をもって、それぞれ連結されている。背凭れ(７)は、背枠(12)と、その表面に張設されたネット部材や多孔性シート部材などからなる表皮材(13)とを有し、表皮材(13)の内側には、後述するランバーサポート(Ｒ)が設けられている。各背凭れ支持杆(８)には、肘掛け(14)が取付けられている。
【００１９】
図３は、表皮材を除いた背凭れの正面図、図４は、図１のIV-IV線断面端面図、図５は、要部の分解断面図である。
図３〜図５に示すように、ランバーサポート(Ｒ)は、硬質の取付部材(15)と、サポート杆(16)と、軟質のカバー部材(17)とよりなっている。
ここで硬質の取付部材(15)とは、着座者からの荷重に対する耐荷重強度を有するものであればよく、一般的には硬質合成樹脂、あるいは厚手の軟質合成樹脂で成形された取付部材が用いられる。
また、軟質のカバー部材(17)とは、着座者からの荷重およびサポート杆(16)の上下動により、変形しうるものであればよく、一般的には軟質合成樹脂板、合成または天然のゴム板などが用いられる。
【００２０】
背枠(12)における左右のフレーム(12A)(12A)の前面には、前方に開口する上下方向の係合溝(18)(18)が形成されている。図５に示すように、この係合溝(18)の内壁(19a)の前端(19b)は、外壁(19c)の前面(12a)より距離(Ｌ)だけ後退している。ランバーサポート(Ｒ)における取付部材(15)の両側端の係合部(15a)の後面には、後方に開口する上下方向の係合溝(21)が設けられている。左右のフレーム(12A)の係合溝(18)内に係合部(15a)の外壁(20)が係合されるとともに、係合部(15a)の係合溝(21)内に、左右のフレーム(12A)の内壁(19)が係合されている。
【００２１】
なお、ランバーサポート(Ｒ)の取付部材(15)の係合部(15a)を、左右のフレーム(12A)(12A)の係合溝(18)に係合させる際には、前記係合部(15a)を平面視後向き凸状に少しばかり湾曲させることにより、容易に係合させることができるが、左右のフレーム(12A)(12A)を、左右方向における外側端縁より内側端縁に後傾するように形成しておけば、前記係合は一層容易になる。
【００２２】
図４に示すように、ランバーサポート(Ｒ)における係合部(15a)の前面(15b)は、背枠(12)における左右のフレーム(12A)の前面(12a)とほぼ同一面、または若干後方に位置する構成となっている。背枠(12)における左右のフレーム(12A)の左右外側端面に形成されたスリット(12b)には、背凭れ(７)の表皮材(13)の端部が取付けられている。ランバーサポート(Ｒ)における取付部材(15)の係合部(15a)は、背枠(12)における左右のフレーム(12A)の前側に張設された表皮材(13)に当接しており、これにより、ランバーサポート(Ｒ)の背枠(12)からの脱落が防止されている。
【００２３】
図６および図７は、それぞれ図１のVI-VI線およびVII-VII線断面端面図である。
図４、図６および図７に示すように、取付部材(15)の前面における左右方向中央部には、浅い凹凸部(22a)が高さ方向に連続して形成されている樹脂製の係止部材(22)が設けられ、かつ、その左右両側には、高さ方向に延びる左右外側向きのレール部材(23)(23)が、ねじ(24)(24)により取付けられている。
【００２４】
サポート杆(16)の後面には、レール部材(23)によりガイドされるガイド部(26)が形成され、かつ、中央には、平面視前向広幅コ字状の弾性係止部材(27)が設けられている。弾性係止部材(27)の後面中央部には、前記凹凸部(22a)に弾性係止する係止凸部(27a)が形成されている。サポート杆(16)の前面に設けられた左右方向の凸条(29)の前面には、多数のリブ(28)が突設され、かつ、サポート杆(16)の左右両端には、取っ手(30)(30)が設けられている。なお、リブ(28)が撓むことにより、クッション作用が発揮され、かつ材料が節減されるが、サポート杆(16)の前面をリブのない弧状の形状としてもよい。
【００２５】
図６および図７に示すように、取付部材(15)の上下端縁の取付部(31)には、カバー部材(17)が取付けられている。このカバー部材(17)は、軟質のもので、上記リブ(29)の前面から若干離間して、サポート杆(16)の前方および上下を覆うように、上記表皮材(13)の後側に設けられている。
【００２６】
ランバーサポート(Ｒ)の背枠(12)への組付けは、次のようにして行う。背枠(12)には、予め表皮材(13)が張設されている。サポート杆(16)およびカバー部材(17)が組付けられている取付部材(15)の係合部(15a)を、表皮材(13)の後面を押しながら背枠(12)の前方に位置させ、ランバーサポート(Ｒ)の係合部(15a)を、背枠(12)における左右のフレーム(12A)の係合溝(18)に係合させる。これにより、図４に示すように、表皮材(13)の張力で係合部(15a)の前面が後方向きに押圧され、ランバーサポート(Ｒ)の背枠(12)からの脱落が防止される。
【００２７】
また、図３に示すように、背枠(12)の左右のフレーム(12A)(12A)は、相互に平行をなす部分(12A1)(12A1)と、この下端部から下方に連続する左右方向の内向きに傾斜をなす部分(12A2)(12A2)とにより形成され、この平行をなす部分(12A1)と、傾斜をなす部分(12A2)の２箇所において係合部(15a)が係合されているため、この傾斜をなす部分(12B)の係合により、取付部材(15)の上下移動が阻止される。したがって、取付部材(15)は、ねじ等の固定手段を使用することなく、確実に背枠(12)に固定される。
【００２８】
図８は、サポート杆(16)の作動状態を示すもので、図８（ａ）は、サポート杆(16)を最上部に移動させた状態、図８（ｂ）は、サポート杆(16)を最下部に移動させた状態をそれぞれ示している。なお、実線(32)は、座(９)に着座した人の背中を表している。サポート杆(16)を移動させるときは、取っ手(30)を持って上下に移動させることにより、サポート杆(16)のガイド部(26)がレール部材(23)に沿ってスライドするとともに、弾性係止部材(27)の係止凸部(27a)が係止部材(22)の凹凸部(22a)に当接した状態でスライドし、係止部材(22)の任意の位置に係止して保持される。これにより、サポート杆(16)を、着座した人に最も適した位置に保持することができる。
【００２９】
なお、レール部材(23)をサポート杆(16)に、ガイド部(26)を取付部材(15)に設けた構成、あるいは、係止部材(22)をサポート杆(16)に、弾性係止部材(27)を取付部材(15)に設けた構成としてもよい。
以上のように、背枠(12)の左右両側の係合溝(18)に、ランバーサポート(Ｒ)の取付部材(15)の両端の係合部(15a)を係合させることにより、ねじ等の固定部品を使用することなく、かつ、背枠(12)に表皮材(13)を張設した状態で、短時間で取付部材(15)を背枠(12)に容易に取付けることができる。
【図面の簡単な説明】
【００３０】
【図１】本発明の背凭れ装置を備えた椅子の正面図である。
【図２】同じく、側面図である。
【図３】本発明の椅子の背凭れ装置の一実施形態を示す正面図である。
【図４】同じく、図３のIV-IV線断面端面図である。
【図５】同じく、背枠と取付部材の分解断面図である。
【図６】同じく、図３のVI-VI線断面端面図である。
【図７】同じく、図３のVII-VII線断面端面図である。
【図８】同じく、（ａ）はサポート部材の上限位置、（ｂ）は下限位置を、それぞれ示す断面端面図である。
【符号の説明】
【００３１】
(１)キャスタ
(２)脚杆
(３)脚体
(４)脚柱
(５)支基
(5a)腕部
(６)枢軸
(７)背凭れ
(８)支持杆
(8a)筒部
(8b)起立腕
(９)座
(10)座受けフレーム
(11)軸
(12)背枠
(12a)前面
(12b)スリット
(12A)左右のフレーム
(12A1)平行をなす部分
(12A2)傾斜をなす部分
(13)表皮材
(14)肘掛け
(15)取付部材
(15a)係合部
(15b)前面
(16)サポート杆
(17)カバー部材
(18)係合溝
(19a)内壁
(19b)前端
(19c)外壁
(20)外壁
(21)係合溝
(22)係止部材
(22a)凹凸部
(23)レール部材
(24)ねじ
(26)ガイド部
(27)弾性係止部材
(27a)弾性係止部材
(28)リブ
(29)凸条
(30)取っ手
(31)取付部
(32)実線
(Ｒ)ランバーサポート
【図１】
2006110015.tif 000003
【図２】
2006110015.tif 000004
【図３】
2006110015.tif 000005
【図４】
2006110015.tif 000006
【図５】
2006110015.tif 000007
【図６】
2006110015.tif 000008
【図７】
2006110015.tif 000009
【図８】
2006110015.tif 000010